(57)【要約】【課題】１つのグラフ表示領域内で複数のトレンドグラフを同時に監視させる生体情報表示装置を提供する。【解決手段】生体情報表示装置は、ライン生成部２０１と、数値軸目盛り適合部２０２と、適合トレンドグラフ表示部２０５と、タッチパネルディスプレイ１１とを備える。ライン生成部２０１は、ページ画面内に配置されるトレンドグラフの時間軸方向へ延びる上側判定ライン又は下側判定ラインを生成する。数値軸目盛り適合部２０２は複数の生体情報において設定される上側閾値および下側閾値のそれぞれが上側判定ラインおよび下側判定ラインと一致するように、トレンドグラフにおける各生体情報数値軸の目盛り幅の広狭度合いを適合させる。適合トレンドグラフ表示部２０５は、上側判定ライン又は下側判定ラインおよびトレンドグラフが配置されるページ画面をタッチパネルディスプレイ１１に表示させる。【選択図】  図３
2018075220.tif 000002
【特許請求の範囲】
【請求項１】
ディスプレイと、
生体情報に関する数値軸と時間軸を有するトレンドグラフを配置させるトレンドグラフ領域を有するページ画面であるトレンドグラフページ画面を生成するトレンドグラフページ画面生成部と、
前記トレンドグラフ領域内に配置されるトレンドグラフの前記時間軸方向へ延びる上側判定ライン又は下側判定ラインを生成するライン生成部と、
複数種類の生体情報のそれぞれにおいて設定される上側閾値および下側閾値が、前記上側判定ラインおよび前記下側判定ラインと一致するように、複数の前記生体情報それぞれの前記数値軸の目盛りを適合させる数値軸目盛り適合部と、
適合される前記数値軸の目盛りに応じた複数の前記生体情報に対応するトレンドグラフを適合トレンドグラフとして生成する適合トレンドグラフ生成部と、
前記上側判定ライン又は前記下側判定ライン、並びに、複数の前記適合トレンドグラフが前記トレンドグラフ領域内に配置される前記トレンドグラフページ画面を前記ディスプレイに表示させる適合トレンドグラフ表示部と、
を備えることを特徴とする、
生体情報表示装置。
【請求項２】
前記数値軸目盛り適合部は、前記数値軸の目盛り幅の広狭度合いを調整して、又は、前記数値軸の原点位置の値を調整して前記数値軸の目盛りを適合させることを特徴とする、
請求項１に記載の生体情報表示装置。
【請求項３】
前記数値軸目盛り適合部は、複数種類の生体情報のそれぞれの前記上側閾値と前記下側閾値との間の範囲内で、前記数値軸の目盛り幅の広狭度合いを調整することを特徴とする、
請求項２に記載の生体情報表示装置。
【請求項４】
前記ライン生成部は、複数の前記上側判定ライン及び前記下側判定ラインを生成し、
前記数値軸目盛り適合部は、トレンドグラフに対応する生体情報において設定される複数の上側判定閾値および下側判定閾値のそれぞれが、複数の前記上側判定ライン及び前記下側判定ラインと一致するように、複数の前記生体情報それぞれの前記数値軸の目盛りを適合させることを特徴とする、
請求項１〜３に記載の生体情報表示装置。
【請求項５】
前記トレンドグラフ領域内における前記上側判定ライン及び前記下側判定ラインの位置の変更の操作を受け付けて、前記トレンドグラフ領域内における前記上側判定ライン及び前記下側判定ラインの位置を変更するライン位置変更部を備えることを特徴とする、
請求項１〜４のいずれかに記載の生体情報表示装置。
【請求項６】
前記適合トレンドグラフが前記上側判定ライン又は前記下側判定ラインを超える場合に外部へその旨を報知する報知部を備えることを特徴とする、
請求項１〜５のいずれかに記載の生体情報表示装置。
【請求項７】
前記トレンドグラフ領域内における前記数値軸の目盛り幅の広狭度合いを調整する操作を受け付けて、その調整する操作に対応するよう前記数値軸の目盛り幅の広狭度合いを変更する数値軸目盛り調整部を備えることを特徴とする、
請求項１〜６に記載の生体情報表示装置。
【請求項８】
ディスプレイへの表示を制御する生体情報表示制御装置であって、
生体情報に関する数値軸と時間軸を有するトレンドグラフを配置させるトレンドグラフ領域を有するページ画面であるトレンドグラフページ画面を生成するトレンドグラフページ画面生成部と、
前記トレンドグラフ領域内に配置されるトレンドグラフの前記時間軸方向へ延びる上側判定ライン又は下側判定ラインを生成するライン生成部と、
複数種類の生体情報のそれぞれにおいて設定される上側閾値および下側閾値が、前記上側判定ラインおよび前記下側判定ラインと一致するように、複数の前記生体情報それぞれの前記数値軸の目盛りを適合させる数値軸目盛り適合部と、
適合される前記数値軸の目盛りに応じた複数の前記生体情報に対応するトレンドグラフを適合トレンドグラフとして生成する適合トレンドグラフ生成部と、
前記上側判定ライン又は前記下側判定ライン、並びに、複数の前記適合トレンドグラフが前記トレンドグラフ領域内に配置される前記トレンドグラフページ画面を前記ディスプレイに表示させる適合トレンドグラフ表示部と、
を備えることを特徴とする、
生体情報表示制御装置。
【請求項９】
ディスプレイに表示させる表示データを生成する生体情報処理装置であって、
生体情報に関する数値軸と時間軸を有するトレンドグラフを配置させるトレンドグラフ領域を有するページ画面であるトレンドグラフページ画面を生成するトレンドグラフページ画面生成部と、
前記トレンドグラフ領域内に配置されるトレンドグラフの前記時間軸方向へ延びる上側判定ライン又は下側判定ラインを生成するライン生成部と、
複数種類の生体情報のそれぞれにおいて設定される上側閾値および下側閾値が、前記上側判定ラインおよび前記下側判定ラインと一致するように、複数の前記生体情報それぞれの前記数値軸の目盛りを適合させる数値軸目盛り適合部と、
適合される前記数値軸の目盛りに応じた複数の前記生体情報に対応するトレンドグラフを適合トレンドグラフとして生成する適合トレンドグラフ生成部と、
前記上側判定ライン又は前記下側判定ライン、並びに、複数の前記適合トレンドグラフが前記トレンドグラフ領域内に配置される前記トレンドグラフページ画面の前記表示データを生成する表示データ生成部と、
を備えることを特徴とする、
生体情報処理装置。
【発明の詳細な説明】
【技術分野】
【０００１】
本発明は、バイタルサインをモニタリングする生体情報表示装置、及び、その表示を制御する生体情報表示制御装置、及び、その表示させる表示データを生成する生体情報処理装置に関する。
【背景技術】
【０００２】
生体情報モニタには、心電図、心拍数、ＳＰＯ２、血圧、呼吸、体温等の様々な情報が表示され、その表示を見て医師は、患者の状態を把握する。生体情報モニタに表示される情報として、例えば、生体情報に関するトレンドグラフがある。トレンドグラフは、横軸に時間軸、縦軸に生体情報の大きさを表す軸で構成されるグラフ表示領域内に配置される。トレンドグラフが表示されるものとして、例えば、過去の生体情報の上限値を示す上側判定ラインと、過去の生体情報の下限値を示す下側判定ラインとが配置されるグラフ表示領域内にトレンドグラフを表示する生体情報監視装置が提案されている（例えば、特許文献１参照）。上記生体情報監視装置は、トレンドグラフが上側判定ライン又は下側判定ラインを超えると、その部分をアラーム発生区間として他と異なる色で表示させる。
【先行技術文献】
【特許文献】
【０００３】
【特許文献１】特開２０１１−１４７４９３号公報
【発明の概要】
【発明が解決しようとする課題】
【０００４】
上記生体情報監視装置では、１つのグラフ表示領域内に配置されるトレンドグラフは１つである。このため、生体情報監視装置の表示画面に複数のトレンドグラフを同時に表示させる場合、各トレンドグラフに対応する複数のグラフ表示領域を用意する必要がある。複数のグラフ表示領域を用意する場合、生体情報監視装置の表示画面において取ることのできる１つのグラフ表示領域当たりの面積が小さくなる。各トレンドグラフの表示面積が小さいと視認性が悪化し、医師は患者の状態を十分に把握できない。
【０００５】
また、生体情報毎に別々のトレンドグラフを確認し、それぞれの数値に異常がないかどうかを監視しなければならならず、医師の負担が大きい。
【０００６】
本発明は、斯かる実情に鑑み、１つのグラフ表示領域内で複数のトレンドグラフを同時に監視させる生体情報表示装置、その表示を制御する生体情報表示制御装置、及び、その表示させる表示データを生成する生体情報処理装置を提供することを目的とする。
【課題を解決するための手段】
【０００７】
本発明は、上記課題を解決するためになされたものであり、本発明の生体情報表示装置は、ディスプレイと、生体情報に関する数値軸と時間軸を有するトレンドグラフを配置させるトレンドグラフ領域を有するページ画面であるトレンドグラフページ画面を生成するトレンドグラフページ画面生成部と、上記トレンドグラフ領域内に配置されるトレンドグラフの上記時間軸方向へ延びる上側判定ライン又は下側判定ラインを生成するライン生成部と、複数種類の生体情報のそれぞれにおいて設定される上側閾値および下側閾値が、上記上側判定ラインおよび上記下側判定ラインと一致するように、複数の上記生体情報それぞれの上記数値軸の目盛りを適合させる数値軸目盛り適合部と、適合される上記数値軸の目盛りに応じた複数の上記生体情報に対応するトレンドグラフを適合トレンドグラフとして生成する適合トレンドグラフ生成部と、上記上側判定ライン又は上記下側判定ライン、並びに、複数の上記適合トレンドグラフが上記トレンドグラフ領域内に配置される上記トレンドグラフページ画面を上記ディスプレイに表示させる適合トレンドグラフ表示部と、を備えることを特徴とする。
【０００８】
また、本発明の生体情報表示装置において、上記数値軸目盛り適合部は、上記数値軸の目盛り幅の広狭度合いを調整して、又は、上記数値軸の原点位置の値を調整して上記数値軸の目盛りを適合させることを特徴とする。
【０００９】
また、本発明の生体情報表示装置において、上記数値軸目盛り適合部は、複数種類の生体情報のそれぞれの上記上側閾値と上記下側閾値との間の範囲内で、上記数値軸の目盛り幅の広狭度合いを調整することを特徴とする。
【００１０】
また、本発明の生体情報表示装置において、上記ライン生成部は、複数の上記上側判定ライン及び上記下側判定ラインを生成し、上記数値軸目盛り適合部は、トレンドグラフに対応する生体情報において設定される複数の上側判定閾値および下側判定閾値のそれぞれが、複数の上記上側判定ライン及び上記下側判定ラインと一致するように、複数の上記生体情報それぞれの上記数値軸の目盛りを適合させることを特徴とする。
【００１１】
また、本発明の生体情報表示装置において、上記トレンドグラフ領域内における上記上側判定ライン及び上記下側判定ラインの位置の変更の操作を受け付けて、上記トレンドグラフ領域内における上記上側判定ライン及び上記下側判定ラインの位置を変更するライン位置変更部を備えることを特徴とする。
【００１２】
また、本発明の生体情報表示装置において、上記適合トレンドグラフが上記上側判定ライン又は上記下側判定ラインを超える場合に外部へその旨を報知する報知部を備えることを特徴とする。
【００１３】
また、本発明の生体情報表示装置において、上記トレンドグラフ領域内における上記数値軸の目盛り幅の広狭度合いを調整する操作を受け付けて、その調整する操作に対応するよう上記数値軸の目盛り幅の広狭度合いを変更する数値軸目盛り調整部を備えることを特徴とする。
【００１４】
また、本発明の生体情報表示制御装置は、ディスプレイへの表示を制御する生体情報表示制御装置であって、生体情報に関する数値軸と時間軸を有するトレンドグラフを配置させるトレンドグラフ領域を有するページ画面であるトレンドグラフページ画面を生成するトレンドグラフページ画面生成部と、上記トレンドグラフ領域内に配置されるトレンドグラフの上記時間軸方向へ延びる上側判定ライン又は下側判定ラインを生成するライン生成部と、複数種類の生体情報のそれぞれにおいて設定される上側閾値および下側閾値が、上記上側判定ラインおよび上記下側判定ラインと一致するように、複数の上記生体情報それぞれの上記数値軸の目盛りを適合させる数値軸目盛り適合部と、適合される上記数値軸の目盛りに応じた複数の上記生体情報に対応するトレンドグラフを適合トレンドグラフとして生成する適合トレンドグラフ生成部と、上記上側判定ライン又は上記下側判定ライン、並びに、複数の上記適合トレンドグラフが上記トレンドグラフ領域内に配置される上記トレンドグラフページ画面を上記ディスプレイに表示させる適合トレンドグラフ表示部と、を備えることを特徴とする。
【００１５】
また、本発明の生体情報処理装置は、ディスプレイに表示させる表示データを生成する生体情報処理装置であって、生体情報に関する数値軸と時間軸を有するトレンドグラフを配置させるトレンドグラフ領域を有するページ画面であるトレンドグラフページ画面を生成するトレンドグラフページ画面生成部と、上記トレンドグラフ領域内に配置されるトレンドグラフの上記時間軸方向へ延びる上側判定ライン又は下側判定ラインを生成するライン生成部と、複数種類の生体情報のそれぞれにおいて設定される上側閾値および下側閾値が、上記上側判定ラインおよび上記下側判定ラインと一致するように、複数の上記生体情報それぞれの上記数値軸の目盛りを適合させる数値軸目盛り適合部と、適合される上記数値軸の目盛りに応じた複数の上記生体情報に対応するトレンドグラフを適合トレンドグラフとして生成する適合トレンドグラフ生成部と、上記上側判定ライン又は上記下側判定ライン、並びに、複数の上記適合トレンドグラフが上記トレンドグラフ領域内に配置される上記トレンドグラフページ画面の上記表示データを生成する表示データ生成部と、を備えることを特徴とする。
【発明の効果】
【００１６】
本発明の生体情報表示装置、及び、生体情報表示制御装置によれば、１つのグラフ表示領域内で複数のトレンドグラフの異常を同時に監視することができるという優れた効果を奏し得る。また、本発明の生体情報処理装置によれば、上記表示に関する表示データを生成することができるという優れた効果を奏し得る。
【図面の簡単な説明】
【００１７】
【図１】本発明の実施の形態における生体情報モニタの斜視図である。
【図２】本発明の実施の形態における生体情報モニタのハード構成を示す概要図である。
【図３】本発明の実施の形態における生体情報モニタの機能ブロック図である。
【図４】本発明の実施の形態における生体情報モニタに表示されるトレンドグラフページ画面を示す図である。
【図５】本発明の実施の形態における生体情報モニタに表示されるトレンドグラフページ画面のトレンドグラフ領域を示す図である。
【図６】（ａ）は、本発明の実施の形態におけるトレンドグラフにおける生体情報数値軸の目盛り幅を適合させた様子を示す図である。（ｂ）は、本発明の実施の形態におけるトレンドグラフにおける生体情報数値軸の目盛り幅、及び原点位置を適合させた様子を示す図である。
【図７】本発明の実施の形態における生体情報モニタに表示されるトレンドグラフページ画面のトレンドグラフ領域に上側判定ライン及び下側判定ラインをそれぞれ２つ配置させた様子を示す図である。
【図８】（ａ）は、本発明の実施の形態における生体情報モニタで上側判定ラインまたは下側判定ラインを超えた生体情報があった際の報知態様を示す図である。（ｂ）は、本発明の実施の形態における生体情報モニタに表示されるトレンドグラフページ画面のトレンドグラフ領域に上側判定ライン及び下側判定ラインを２つずつ配置させた際の報知態様を示す図である。
【図９】（ａ）は、本発明の実施の形態における生体情報モニタに表示されるトレンドグラフページ画面において上側判定ライン又は下側判定ラインの数を入力させるライン数入力画面を示す図である。（ｂ）は、本発明の実施の形態における生体情報モニタに表示されるトレンドグラフページ画面において上側判定ライン又は下側判定ラインに対応付ける各生体情報の上側閾値、又は下側閾値を入力させるライン閾値入力画面を示す図である。
【図１０】（ａ）は、本発明の実施の形態における生体情報モニタに表示されるトレンドグラフページ画面において上側判定ライン又は下側判定ラインの数を入力させるライン数入力画面を示す図である。（ｂ）は、本発明の実施の形態における上側判定ライン又は下側判定ラインに対応付ける各生体情報の上側閾値、又は下側閾値が入力されるライン閾値入力画面を示す図である。
【図１１】（ａ）は、本発明の実施の形態における生体情報モニタに表示されるトレンドグラフ領域内の上側判定ラインを移動させる様子を示す図である。（ｂ）は、本発明の実施の形態における生体情報モニタに表示されるトレンドグラフ領域内の上側判定ラインを移動させた際の生体情報モニタの表示を示す図である。
【図１２】（ａ）は、本発明の実施の形態における生体情報モニタに表示されるトレンドグラフ領域に対してピンチアウト操作を行う様子を示す図である。（ｂ）は、本発明の実施の形態における生体情報モニタに表示されるトレンドグラフ領域に対してピンチアウト操作を行った後の生体情報モニタの表示を示す図である。
【図１３】（ａ）は、本発明の実施の形態における生体情報モニタに表示される生体情報数値軸の領域に対してピンチアウト操作を行う様子を示す図である。（ｂ）は、本発明の実施の形態における生体情報モニタに表示される生体情報数値軸領域に対してピンチアウト操作を行った後の生体情報モニタの表示を示す図である。
【発明を実施するための形態】
【００１８】
以下、本発明の実施の形態を添付図面を参照して説明する。なお、以下において本発明の実施の形態における生体情報表示装置として、生体情報モニタを一例にとって説明するが、これ以外の生体情報が表示されるその他の装置も本発明の範囲に含まれる。
【００１９】
＜１．生体情報モニタ全体概要＞
図１を参照して、本発明の実施の形態における生体情報モニタ１について説明する。生体情報モニタ１は、図１（ａ）に示すように、主としてタッチパネルディスプレイを備えたタブレット型のコンピュータにより構成される。生体情報モニタ１は、図１（ｂ）に示すように、支持台３に取り付けられ、支持台３に支持される。
【００２０】
検知装置インターフェース２は、例えば、生体情報検知装置に対して接続コネクタ部２ａを介して接続される。生体情報検知装置は、被験者の生体に関する状態を検知して、その状態に対応する生体信号を出力するものである。生体情報検知装置として、たとえば、心臓の活動電位を検知するための心電電極、血圧を検知するための血圧検知装置、体温を検知するための体温計、ＳｐＯ２を検知するためのＳｐＯ２検知装置（例えば、パルスオキシメーター）等が挙げられる。
【００２１】
生体情報モニタ１及び検知装置インターフェース２それぞれには、例えば、ＵＳＢ（Ｕｎｉｖｅｒｓａｌ  Ｓｅｒｉａｌ  Ｂｕｓ）端子１ｂ，２ｂが設けられ、ＵＳＢケーブルを介して接続される。なお、検知装置インターフェース２と生体情報モニタ１との接続態様は、データを生体情報モニタ１に送ることができれば、ＩＥＥＥ１３９４等のシリアルバス方式、ＳＣＳＩ（Ｓｍａｌｌ  Ｃｏｍｐｕｔｅｒ  Ｓｙｓｔｅｍ  Ｉｎｔｅｒｆａｃｅ）等のパラレルバス方式等を用いた有線通信接続態様、又は、ＲＦＩＤ（Ｒａｄｉｏ  Ｆｒｅｑｕｅｎｃｙ  Ｉｄｅｎｔｉｆｉｅｒ）、ＮＦＣ  （Ｎｅａｒ  Ｆｉｅｌｄ  Ｃｏｍｍｕｎｉｃａｔｉｏｎ）、Ｂｌｕｅｔｏｏｔｈ（登録商標）等を用いた無線通信接続であってもよい。また、検知装置インターフェース２は、例えば、図１（ｂ）に示すように、支持台３に取り付けられ、支持台３に支持される。
【００２２】
次に、図２を参照して生体情報モニタ１、及び、検知装置インターフェース２の構成について説明する。生体情報モニタ１は、例えば、制御部１０と、タッチパネルディスプレイ１１と、接続コネクタ１２と、アンテナ１３と、スピーカ１４と、バッテリ１５とを備える。制御部１０は、生体情報モニタ１内の各制御を行うものである。
【００２３】
制御部１０は、例えば、ＣＰＵ（Ｃｅｎｔｒａｌ  Ｐｒｏｃｅｓｓｉｎｇ  Ｕｎｉｔ）１０１、ＲＡＭ（Ｒａｎｄｏｍ  Ａｃｃｅｓｓ  Ｍｅｍｏｒｙ）１０２、ＲＯＭ（Ｒｅａｄ  Ｏｎｌｙ  Ｍｅｍｏｒｙ）１０３、記憶媒体１０４、無線通信インターフェース１０５、有線通信インターフェース１０６、操作入力インターフェース１０７、表示制御部１０８と、音声制御部１０９と、発光制御部１１０とを備える。なお、図２においてインターフェースは、Ｉ／Ｆと表記される。
【００２４】
ＣＰＵ１０１は、生体情報モニタ１内の全体の処理を司るものであり、作業領域としてＲＡＭ１０２を使用する。ＲＯＭ１０３には、例えば、生体情報モニタ１を起動させるためのプログラムや、その他のＣＰＵ１０１で実行される基本的なプログラムが書き込まれている。記憶媒体１０４は、例えば、ソリッドステートドライブ（ｓｏｌｉｄ  ｓｔａｔｅ  ｄｒｉｖｅ：ＳＳＤ）やフラッシュメモリ等により構成される。記憶媒体１０４には、例えば、生体情報モニタ１の基本的な動作を実現するオペレーティングシステム（Ｏｐｅｒａｔｉｎｇ  Ｓｙｓｔｅｍ：ＯＳ）や、そのオペレーティングシステムに依存するプログラムが書き込まれる。また、記憶媒体１０４は、供給されるデータの保存場所として機能する。
【００２５】
無線通信インターフェース１０５は、例えば、外部装置との間で無線通信により送受信されるデータの変換処理（変調・復調）等を行うものであり、アンテナ１３と接続される。アンテナ１３は、外部から送信されるデータを受信して無線通信インターフェース１０５へ送る。また、アンテナ１３は、無線通信インターフェース１０５から供給されるデータを外部へ送信する。無線通信インターフェース１０５として、例えば、ＲＦＩＤ、ＮＦＣ、Ｂｌｕｅｔｏｏｔｈ（登録商標）等を用いたものが一例として挙げられる。
【００２６】
有線通信インターフェース１０６は、例えば、外部装置との間で有線通信により送受信されるデータの変換処理等を行うものであり、接続コネクタ１２と接続される。有線通信インターフェース１０６として、例えば、ＵＳＢ等のシリアルバス規格を用いたものが挙げられるが、これに限定されるものではない。その他の有線通信インターフェース１０６として、ＩＥＥＥ１３９４等のシリアルバス方式、ＳＣＳＩ等のパラレルバス方式を採用したいずれのものであってもよい。
【００２７】
操作入力インターフェース１０７は、外部からの操作をＣＰＵ１０１へ伝えるものである。表示制御部１０８は、タッチパネルディスプレイ１１にＣＰＵ１０１からの命令に従った表示をさせるものである。音声制御部１０９は、スピーカ１４へＣＰＵ１０１からの命令に従った音声の出力を行うものである。発光制御部１１０は、ＣＰＵ１０１からの命令に従って発光部１６，１７のオンオフを行うものである。発光制御部１１０は、例えば、ＣＰＵ１０１から生体情報に関する報知信号を受けて、発光部１６，１７の両方、又は、いずれか一方を発光させる。また、発光制御部１１０は、例えば、ＣＰＵ１０１から生体情報に関する報知解除信号を受けて、発光部１６，１７の両方、又は、いずれか一方を消灯又は、上記とは別態様で発光させる。
【００２８】
タッチパネルディスプレイ１１は、表示及び操作入力の受け付けを行うものである。上記操作入力の受け付けは、タッチパネルディスプレイ１１の表示面に直接指等でタッチ操作を行うことによって実現される。タッチ操作として、例えば、タップ、ダブルタップ、スクロール、ピンチイン、ピンチアウト、スライド等のジェスチャ操作が挙げられるが、これに限定されるものではなく、その他の全てのジェスチャ操作も含まれる。タッチ操作を行うと、操作入力インターフェース１０７は、そのタッチ操作に対応する操作信号をＣＰＵ１０１へ伝える。バッテリ１５は、充電可能な蓄電池であり、生体情報モニタ１内の各部に電力を供給する。なお、バッテリ１５は、充電可能に外部電源と接続されるように構成されるとよい。
【００２９】
検知装置インターフェース２は、生体情報モニタ１と接続線２ｃを通じて接続される。また、検知装置インターフェース２は、たとえば、複数の生体情報検知装置のそれぞれの規格に適合するコネクタを備えており、生体情報検知装置のそれぞれと接続される。そして、検知装置インターフェース２は、接続線２ｃを通じて複数の生体情報検知装置のそれぞれから供給される生体信号に対して生体情報モニタ１で処理可能なよう所定の処理を行うインターフェースとしての役割を果たす。具体的に検知装置インターフェース２は、例えば、接続線２ｃを通じて複数の生体情報検知装置のそれぞれから供給される生体信号に基づいて、生体情報モニタ１で処理可能な生体情報を生成して生体情報モニタ１へ出力する。すなわち、検知装置インターフェース２は、生体情報検知装置と共に生体情報の測定装置として機能する。なお、上記生体情報モニタ１で処理可能な生体情報として、例えば、心臓の活動電位に対応する心電信号、心拍数、血中酸素濃度、血圧等が一例として挙げられるが、これに限定されるものではなく、その他の生体情報も含まれる。検知装置インターフェース２は、上記説明した有線通信接続態様、又は、無線通信接続態様によって生体情報モニタ１と接続される。
【００３０】
生体情報検知装置は、上記説明したように、例えば、心臓の活動電位を検知するための心電電極、血圧を検知するための血圧検知装置、体温を検知するための体温計、ＳｐＯ２を検知するためのＳｐＯ２検知装置等が挙げられる。なお、以上の生体情報検知装置は一例であって、本発明において生体情報検知装置は、被験者からその他の生体信号を検知するものであってもよい。
【００３１】
＜２．装置機能ブロック＞
次に、図３を参照して生体情報モニタ１の機能構成について説明する。生体情報モニタ１は、１つのグラフ表示領域内で複数のトレンドグラフを同時に表示させる機能を有するものである。以上のような機能を有する生体情報モニタ１は、トレンドグラフページ画面生成部２００と、ライン生成部２０１と、数値軸目盛り適合部２０２と、適合トレンドグラフ生成部２０３と、適合トレンドグラフ保持部２０４と、適合トレンドグラフ表示部２０５と、報知部２０６と、ライン数設定部２０７と、ライン位置変更部２０８と、トレンドグラフ選択部２０９と、時間軸目盛り調整部２１０と、数値軸目盛り調整部２１１と、閾値設定部２１２と、タッチパネルディスプレイ１１とを備える。
【００３２】
トレンドグラフページ画面生成部２００は、トレンドグラフページ画面を生成するものである。トレンドグラフページ画面とは、トレンドグラフ領域を有するページ画面である。トレンドグラフ領域は、トレンドグラフページ画面内の生体情報に関するトレンドグラフを表示させる特定領域である。トレンドグラフ領域として、例えば、図４に示すトレンドグラフページ画面３００内のトレンドグラフ領域３０１が一例として挙げられる。
【００３３】
トレンドグラフ領域における横軸は時間軸であり、トレンドグラフ領域における縦軸は生体情報に関する数値を表す数値軸（以下において生体情報数値軸と呼ぶ。）である。生体情報に関する数値は、例えば、体温なら温度であり、心拍数なら一定の時間内に心臓が拍動する回数であり、ＳｐＯ２（経皮的動脈血酸素飽和度）なら動脈血中のヘモグロビンが酸素とどのくらい結合しているかをパーセントで表したものであり、ＮＩＢＰ（非観血血圧）なら血圧値である。
【００３４】
また、トレンドグラフページ画面には、トレンドグラフ領域の他に、例えば、数値化される生体情報、心電図波形や脈波等のリアルタイムに測定される生体情報を波形表示にしたもの等の様々な生体情報が追加されていてもよい。トレンドグラフページ画面として、例えば、図４に示すトレンドグラフページ画面３００が一例として挙げられる。トレンドグラフページ画面生成部２００は、主としてＲＯＭ１０３や記憶媒体１０４等に記憶されるプログラムをＣＰＵ１０１が実行することによって実現される。
【００３５】
ライン生成部２０１は、トレンドグラフ領域内に配置されるトレンドグラフの時間軸方向へ延びる上側判定ライン又は下側判定ラインを生成するものである。上側判定ライン及び下側判定ラインは、トレンドグラフ領域内で時間軸と平行に延びるラインである。上側判定ラインは、下側判定ラインよりも生体情報数値軸方向上方に配置される。上側判定ライン及び下側判定ラインは、それぞれ複数あってもよい。上側判定ラインおよび下側判定ラインとして、図５に示す上側判定ライン３１０および下側判定ライン３１１が一例として挙げられる。
【００３６】
上側判定ライン又は下側判定ラインは、トレンドグラフにおける生体情報数値軸の所定の値に対応付けられて、生体情報数値軸の所定の値上に設けられる。したがって、後述する機能ブロックの各部において、生体情報数値軸の目盛り幅の広狭度合いや生体情報数値軸の原点位置の値が変更されると、上側判定ライン又は下側判定ラインは、トレンドグラフ領域内での位置は変わることはあるが、生体情報数値軸の所定の値上に設けられることは変わらない。
【００３７】
数値軸目盛り適合部２０２は、複数の生体情報において各々に設定される上側閾値および下側閾値のそれぞれが、上側判定ラインおよび下側判定ラインと一致するように、トレンドグラフにおける生体情報数値軸の目盛りを適合させるものである。上記生体情報数値軸の目盛りを適合させる処理として、例えば、生体情報数値軸の目盛り幅の広狭度合いを調整する処理や、生体情報数値軸の原点位置の値を調整する処理等が挙げられる。
【００３８】
また、生体情報数値軸の目盛り幅の広狭度合いを調整する処理は、全体的に一定の割合で目盛り幅を広げたり、狭めたりするものに限らず、ある部分は目盛り幅を広げ、他の部分は目盛り幅を狭めるような部分的に強調（誇張）表示する態様、または、拡大または縮小表示する態様のものも含む。さらには、生体情報数値軸の目盛り幅の広狭度合いを調整する処理、かつ、生体情報数値軸の原点位置の値を調整する処理を合わせた複合的な処理も生体情報数値軸の目盛りを適合させる処理に含まれる。すなわち、数値軸目盛り適合部２０２は、全ての目盛り幅、または、一部の目盛り幅の拡大または縮小、および、全てまたは一部の目盛り位置を変更させるものである。
【００３９】
なお、各々の生体情報において設定される上側閾値および下側閾値は、例えば、後述する閾値設定部２１２で基準を変えて複数設けられることができる。例えば、健康状態が良好な範囲としての上側閾値および下側閾値、健康状態が危険になりそうな範囲の上側閾値および下側閾値等が基準を変えて設けられる複数の上側閾値および下側閾値に該当する。なお、上側閾値および下側閾値に関する複数の基準は、上記に限定されるものではなく、さらに別の基準であってもよい。
【００４０】
そして、ライン生成部２０１は、上記述べたように、上側判定ライン及び下側判定ラインをそれぞれ複数生成することができる。生体情報において設定すべき上側閾値および下側閾値が複数ある場合、ライン生成部２０１は、複数の上側閾値に対応する上側判定ラインを複数生成し、複数の下側閾値に対応する下側判定ラインを複数生成する。上側判定ライン及び下側判定ラインをそれぞれ複数生成した場合として、例えば、図７に示す上側判定ライン３１０，３１２および下側判定ライン３１１，３１３が一例として挙げられる。
【００４１】
例えば、トレンドグラフ領域内において生体情報数値軸方向の上方から下方に向かう順に、第１上側判定ライン、第２上側判定ライン、第２下側判定ライン、第１下側判定ラインを生成した場合を考える。このような場合、例えば、第１上側判定ラインは「危険上側閾値」、第２上側判定ラインは「正常上側閾値」、第２下側判定ラインは「正常下側閾値」、第１下側判定ラインは「危険下側閾値」に対応する。
【００４２】
以上では、上側閾値及び下側閾値をそれぞれ２つ設けた場合について説明したが、これに限定されるものではなく、上側閾値及び下側閾値をそれぞれ３つ以上設けた場合や上側閾値及び下側閾値をそれぞれ別の数設けた場合（例えば、上側閾値を２つ、下側閾値を１つ）も本発明の範囲に含まれる。
【００４３】
適合トレンドグラフ生成部２０３は、数値軸目盛り適合部２０２において適合される生体情報数値軸の目盛りに応じたトレンドグラフを生成するものである。適合トレンドグラフ生成部２０３によって生成されるトレンドグラフを適合トレンドグラフと呼ぶ。
【００４４】
なお、ライン生成部２０１、数値軸目盛り適合部２０２及び適合トレンドグラフ生成部２０３は、主としてＲＯＭ１０３や記憶媒体１０４等に記憶されるプログラムをＣＰＵ１０１が実行することによって実現される。
【００４５】
適合トレンドグラフ保持部２０４は、適合トレンドグラフ生成部２０３で生成される適合トレンドグラフを、例えば、測定日時と関連付けて保持するものである。適合トレンドグラフ保持部２０４は、例えば、適合トレンドグラフと測定日時とをＲＯＭ１０３又は記憶媒体１０４に記憶されるプログラムに従ってＣＰＵ１０１が処理して、その結果を記憶媒体１０４に記憶させることにより実現される。
【００４６】
適合トレンドグラフ表示部２０５は、上側判定ライン又は下側判定ライン、並びに適合トレンドグラフがトレンドグラフ領域内に配置されるトレンドグラフページ画面をタッチパネルディスプレイ１１に表示させるものである。適合トレンドグラフ表示部２０５は、適合トレントグラフを、例えば、適合トレンドグラフ生成部２０３から直接取得してもよい。また、適合トレンドグラフ表示部２０５は、適合トレントグラフを、例えば、適合トレンドグラフ保持部２０４から取得してもよい。いずれにしても、適合トレンドグラフ表示部２０５は、適合トレンドグラフ生成部２０３が生成した生体情報波形を取得する。適合トレンドグラフ表示部２０５は、主として記憶媒体１０４等に記憶されるプログラムをＣＰＵ１０１が実行して、その結果出される命令を表示制御部１０８が実行することによって実現される。
【００４７】
報知部２０６は、適合トレンドグラフが上側判定ライン又は下側判定ラインを超える場合、外部へその旨を報知するものである。報知部２０６の外部への報知態様は、様々なものが挙げられる。適合トレンドグラフが上側判定ライン又は下側判定ラインを超える場合、報知部２０６は、例えば、タッチパネルディスプレイ１１にアラーム表示を表示させてもよい。また、適合トレンドグラフが上側判定ライン又は下側判定ラインを超える場合、報知部２０６は、例えば、音声制御部１０９及びスピーカ１４を通じて外部へ音を鳴らしてもよい。また、適合トレンドグラフが上側判定ライン又は下側判定ラインを超える場合、報知部２０６は、例えば、発光制御部１１０を通じて発光部１６又は発光部１７を発光させてもよい。発光部１６又は発光部１７の発光態様は、両方点灯、両方点滅、一方点灯、一方点滅等様々な態様が挙げられる。報知部２０６は、主として記憶媒体１０４等に記憶されるプログラムをＣＰＵ１０１が実行して、その結果出される命令を表示制御部１０８、音声制御部１０９、発光制御部１１０等が実行することによって実現される。
【００４８】
ライン数設定部２０７は、トレンドグラフ領域内に配置させる上側判定ライン又は下側判定ラインの数の設定の操作を受け付けて、トレンドグラフ領域内に配置させる上側判定ライン又は下側判定ラインの数を設定するものである。ライン生成部２０１は、ライン数設定部２０７によって設定される上側判定ライン又は下側判定ラインの数だけ上側判定ライン又は下側判定ラインをトレンドグラフ領域内に生成する。例えば、上側判定ライン又は下側判定ラインの数を入力させる部分を含むページ画面において上側判定ライン又は下側判定ラインの数を入力することによりライン数設定部２０７は、トレンドグラフ領域内に配置させる上側判定ライン又は下側判定ラインの数の設定の操作を受け付ける。
【００４９】
ライン位置変更部２０８は、トレンドグラフ領域内における上側判定ライン又は下側判定ラインの位置の変更の操作を受け付けて、トレンドグラフ領域内における上側判定ライン又は下側判定ラインの位置を変更するものである。
【００５０】
なお、上側判定ライン及び下側判定ラインは、複数の生体情報において各々に設定される上側閾値および下側閾値を表す共通ラインとして用いられる。したがって、ライン位置変更部２０８によって上側判定ライン及び下側判定ラインのトレンドグラフ領域での位置が変更されると、各生体情報において各々に設定される上側閾値および下側閾値のトレンドグラフ領域での位置も連動して変化する。これに連動して、生体情報数値軸の目盛りの態様も変化させる必要が生じることもあり、その場合、数値軸目盛り適合部２０２は、必要に応じて生体情報数値軸の目盛り幅の広狭度合いを調整する処理や、生体情報数値軸の原点位置の値を調整する処理等により生体情報数値軸の目盛りを適合させる。
【００５１】
トレンドグラフ選択部２０９は、複数の生体情報に関するトレンドグラフのうちトレンドグラフ領域に配置させる複数のトレンドグラフの選択の操作を受け付け、その選択の操作に対応する複数のトレンドグラフをトレンドグラフ領域に配置させるものである。適合トレンドグラフ表示部２０５は、トレンドグラフ選択部２０９で選択される複数のトレンドグラフをトレンドグラフ領域に表示させる。
【００５２】
時間軸目盛り調整部２１０は、トレンドグラフ領域内における時間軸の目盛りを調整する操作を受け付けて、その操作に対応するよう時間軸の目盛りを調整するものである。時間軸目盛り調整部２１０は、例えば、トレンドグラフ領域内における時間軸の目盛り幅の広狭度合いを調整する操作や、トレンドグラフ領域内における時間軸の原点位置の値を調整する操作を受け付けて、その調整する操作に対応するよう時間軸の目盛りを調整する。
【００５３】
数値軸目盛り調整部２１１は、トレンドグラフ領域内における生体情報数値軸の目盛り幅の広狭度合いを調整する操作を受け付けて、その操作に対応するよう生体情報数値軸の目盛り幅の広狭度合いを変更するものである。
【００５４】
閾値設定部２１２は、複数の生体情報において各々に設定される上側閾値および下側閾値の設定の入力操作を受け付けて設定するものである。閾値設定部２１２で設定される複数の生体情報における上側閾値および下側閾値に基づいて、数値軸目盛り適合部２０２は、トレンドグラフにおける生体情報数値軸の目盛りを適合させる。
【００５５】
なお、初期状態において、所定の既定値が複数の生体情報の上側閾値および下側閾値として設定されていてもよい。閾値設定部２１２での設定が行われていない状態では、上記初期状態における所定の既定値が複数の生体情報の上側閾値および下側閾値として機能ブロックの各部で扱われる。例えば、ライン生成部２０１は、上側判定ラインまたは下側判定ラインを生成する場合、初期状態における生体情報の上側閾値および下側閾値に対応する生体情報数値軸の位置に生成する。そして、ライン生成部２０１は、閾値設定部２１２で生体情報の上側閾値および下側閾値が別途設定されれば、それに応じた生体情報数値軸の位置に上側判定ラインまたは下側判定ラインを生成する。
【００５６】
ライン数設定部２０７、ライン位置変更部２０８、トレンドグラフ選択部２０９、時間軸目盛り調整部２１０、数値軸目盛り調整部２１１、閾値設定部２１２は、例えば、タッチパネルディスプレイ１１及び操作入力インターフェース１０７を通じて操作を受け付けて、主としてＲＯＭ１０３や記憶媒体１０４等に記憶されるプログラムに基づいてその操作に応じた処理をＣＰＵ１０１が実行することによって実現される。
【００５７】
＜３．トレンドグラフページ画面＞
図４を参照してトレンドグラフページ画面３００の一例について説明する。トレンドグラフページ画面３００は、図４に示すように、トレンドグラフ領域３０１を有する。また、トレンドグラフページ画面３００は、その他、心電図波形表示領域３０２及び心拍数表示領域３０３、これらの直下に配置されるメニューボタンＡ〜Ｅを有する。なお、トレンドグラフページ画面３００は、少なくともトレンドグラフ領域３０１を有すればよく、その他に配置される生体情報に関しては特に限定はなく、如何なるものであってもよい。
【００５８】
トレンドグラフ領域３０１の幅方向の長さは、図４に示すように、トレンドグラフページ画面３００の幅方向の長さと略同一程度が好ましい。また、トレンドグラフ領域３０１の上下方向の長さは、例えば、図４に示すように、トレンドグラフページ画面３００の上下方向の長さの略１／２以上程度が好ましい。トレンドグラフの視認性の観点からトレンドグラフページ画面３００内におけるトレンドグラフ領域３０１の占める割合は大きい方が好ましいからである。
【００５９】
＜４．トレンドグラフ領域＞
図５及び図６を参照してトレンドグラフ領域３０１の一例について説明する。トレンドグラフ領域３０１において、図５に示すように、横軸は時間軸３０４とされ、縦軸は生体情報の関する数値の大きさを表す生体情報数値軸３０５とされる。トレンドグラフ領域３０１には、図５に示すように、非観血血圧（ＮＩＢＰ）に関するトレンドグラフ３２０、経皮的動脈血酸素飽和度（ＳｐＯ２）に関するトレンドグラフ３２１、心拍数（ＨＲ）に関するトレンドグラフ３２２、体温（ＴＥＭＰ）に関するトレンドグラフ３２３が配置される。なお、トレンドグラフ領域３０１に配置されるトレンドグラフは上記のものに限定されるものではなく、その他の生体情報に関するトレンドグラフを含めてもよい。また、トレンドグラフ領域３０１に配置されるトレンドグラフは、複数あればよく、その生体情報の種類は問わない。また、トレンドグラフ領域３０１に配置されるトレンドグラフは選択可能である。
【００６０】
上側判定ライン３１０及び下側判定ライン３１１は、図５に示すように、トレンドグラフ領域３０１内においてトレンドグラフの時間軸３０４方向へ時間軸３０４と平行に延びる。そして、上記挙げた複数の生体情報の各々の上側閾値及び下側閾値のそれぞれが、上側判定ライン３１０及び下側判定ライン３１１と一致するように、数値軸目盛り適合部２０２によって、各トレンドグラフの生体情報数値軸３０５ａ〜３０５ｄにおける目盛り幅が適合される。また、上側判定ライン３１０と下側判定ライン３１１との間の領域は、例えば、色付き表示等の強調表示とすることが好ましい。上側判定ライン３１０と下側判定ライン３１１を超えるトレンドグラフの部分を一見して把握しやすくなるからである。
【００６１】
例えば、非観血血圧（ＮＩＢＰ）に関するトレンドグラフ３２０に関する生体情報数値軸３０５ａでは、図６（ａ）に示すように、０〜１００（ｍｍＨｇ）までの区間の長さと、１００〜２００（ｍｍＨｇ）までの区間の長さと、２００〜３００（ｍｍＨｇ）までの区間の長さとがそれぞれ異なる。これは、数値軸目盛り適合部２０２によって行なわれる。すなわち、例えば、１００〜２００（ｍｍＨｇ）までの区間の目盛り幅を基準にすると、数値軸目盛り適合部２０２によって生体情報数値軸３０５ａの値の０〜１００（ｍｍＨｇ）までの区間では目盛り幅の広狭度合いが基準より大きく（拡大）され、生体情報数値軸３０５ａの値の２００〜３００（ｍｍＨｇ）までの区間では目盛り幅の広狭度合いが基準より小さく（縮小）される。そして、数値軸目盛り適合部２０２による生体情報数値軸の目盛りの適合によって、非観血血圧第１上限値３０７ａや非観血血圧第１下限値３０７ｂが上側判定ライン３１０と下側判定ライン３１１と一致するようにされる。これにより、限られた上下方向の広さ内に全数値を表示できる。
【００６２】
また、例えば、経皮的動脈血酸素飽和度（ＳｐＯ２）に関するトレンドグラフ３２１の生体情報数値軸３０５ｂは、図６（ｂ）に示すように、原点位置は「０」ではなく「７０」になっている。また、経皮的動脈血酸素飽和度（ＳｐＯ２）に関するトレンドグラフの生体情報数値軸３０５ｂでは、７０〜８０（％）までの区間の長さと、８０〜９０（％）までの区間の長さとは略同じである。一方、経皮的動脈血酸素飽和度（ＳｐＯ２）に関するトレンドグラフの生体情報数値軸３０５ｂでは、９０〜１００（％）までの区間の長さが、７０〜８０（％）までの区間の長さと、８０〜９０（％）までの区間の長さとは異なる。すなわち、例えば、７０〜８０（％）までの区間の目盛り幅を基準にすると、数値軸目盛り適合部２０２によって、生体情報数値軸３０５ｂの８０〜９０（％）までの区間では目盛り幅の広狭度合いが基準と同じくされ、生体情報数値軸３０５ｂの９０〜１００（％）までの区間では目盛り幅の広狭度合いが基準より大きくされる。そして、数値軸目盛り適合部２０２による生体情報数値軸の目盛りの適合によって、ＳｐＯ２第１上限値３０７ｃやＳｐＯ２第１下限値３０７ｄが上側判定ライン３１０と下側判定ライン３１１と一致するようにされる。これにより、限られた上下方向の広さ内に全数値を表示できる。
【００６３】
また、例えば、心拍数（ＨＲ）に関するトレンドグラフ３２２の生体情報数値軸３０５ｃは、図５に示すように、非観血血圧（ＮＩＢＰ）に関するトレンドグラフ３２０に関する生体情報数値軸３０５ａと略同様の構成になっており、上記生体情報数値軸３０５ａの説明を生体情報数値軸３０５ｃに適用することができる。また、体温（ＴＥＭＰ）に関するトレンドグラフ３２３は、図５に示すように、原点位置は「０」ではなく「３４」になっており、３４℃〜４１℃まで目盛り幅が略等しくなっている。そして、数値軸目盛り適合部２０２による生体情報数値軸の目盛りの適合によって、心拍数第１上限値および体温第１上限値や、心拍数第１下限値および体温第１下限値は、図５に示すように、上側判定ライン３１０と下側判定ライン３１１と一致するようにされる。これにより、限られた上下方向の広さ内に全数値を表示できる。
【００６４】
以上のように、生体情報の上側閾値及び下側閾値のそれぞれが、上側判定ライン３１０及び下側判定ライン３１１と一致するように、数値軸目盛り適合部２０２によって、生体情報数値軸３０５の目盛り幅の広狭度合いが調整されたり、又は、生体情報数値軸３０５の原点位置の値が調整されたりして生体情報数値軸３０５の目盛りが適合される。
【００６５】
また、トレンドグラフの変化を見るのに、時間軸３０４の目盛り幅も適応できれば好ましい。なお、時間軸３０４の目盛り幅の広狭度合いについては、全体的に同じ目盛り幅であることが好ましいが、これに限定されるものではなく、部分的に異なっていてもよい。また、時間軸３０４の原点位置における値は特に限定されない。
【００６６】
また、トレンドグラフページ画面３００におけるトレンドグラフ領域３０１は、例えば、図５に示すように、タッチパネルディスプレイ１１におけるトレンドグラフ領域３０１の表示面に対して指でスクロール操作を行うことにより、トレンドグラフ領域３０１内に配置されるトレンドグラフ、及び時刻表示３０４ａをスクロールさせて左右に時間的に移動させることができる。
＜５．複数上側判定ライン及び下側判定ライン＞
次に、図７を参照して上側判定ライン及び下側判定ラインが複数ある場合について説明する。上側判定ライン及び下側判定ラインは上記説明したように、複数あってもよい。例えば、図７に示すように、上側判定ライン３１０及び下側判定ライン３１１に加えて、上側判定ライン３１２及び下側判定ライン３１３がトレンドグラフ領域内に配置されていてもよい。
【００６７】
上側判定ライン３１２は、時間軸３０４方向へ時間軸３０４と平行に延び、上側判定ライン３１０よりも生体情報数値軸３０５方向上方に配置される。下側判定ライン３１３は、時間軸３０４方向へ時間軸３０４と平行に延び、下側判定ライン３１１よりも生体情報数値軸３０５方向下方に配置される。
【００６８】
各生体情報において設定される上側閾値及び下側閾値は、基準を変えて複数設けることができる。例えば、健康状態が良好な範囲としての上側閾値および下側閾値、健康状態が危険になりそうな範囲の上側閾値および下側閾値等が基準を変えて設けられる複数の上側閾値および下側閾値に該当する。
【００６９】
そして、閾値設定部２１２によって、健康状態が良好な範囲としての上側閾値及び下側閾値をそれぞれ上側判定ライン３１０及び下側判定ライン３１１に一致させる。また、閾値設定部２１２によって、健康状態が危険になりそうな範囲の上側閾値および下側閾値をそれぞれ上側判定ライン３１２及び下側判定ライン３１３に一致させる。この場合、複数の生体情報の上側閾値や下側閾値を共通のライン（上側判定ライン３１０，３１２及び下側判定ライン３１１，３１３）に一致させる場合、数値軸目盛り適合部２０２によって、Ａ，Ｂ，Ｃの区域の縮尺を互いに変えることで実現される。
【００７０】
生体情報に関する細かい数値は、生体情報モニタ１を一見して把握できなくても、上記のようにすれば、複数の種類の生体情報が、健康状態が良好な範囲にあるか、或いは、健康状態が危険になりそうな範囲にあるかについて生体情報モニタ１を一見して把握できる。
【００７１】
以上において上側判定ライン及び下側判定ラインは、それぞれ２つある場合について説明したが、これに限定されるものではない。すなわち、上側判定ライン及び下側判定ラインは、それぞれ３つ以上あってもよい。また、上側判定ライン及び下側判定ラインは、それぞれが少なくとも１つあればよい。すなわち、例えば、上側判定ラインは２つで、下側判定ラインが１つのように、上側判定ライン及び下側判定ラインは、同じ数でなくてもよい。視認性の観点から、生体情報モニタ１の監視者が一見して患者の状態を把握しやすいように上側判定ライン及び下側判定ラインは配置されればよい。
【００７２】
また、上側判定ライン３１２及び下側判定ライン３１３の間の領域は、図７において上側判定ライン３１０及び下側判定ライン３１１の間の領域を除いて色付き表示になっていないが、これに限定されるものではなく、色付き表示等の強調表示にしてもよい。
【００７３】
＜６．報知態様＞
生体情報が所定の上側閾値及び下側閾値を超えると、そのことを外部に報知する方が好ましい。図８を参照して報知態様について説明する。上記説明したように、上側判定ライン３１０は生体情報の健康状態が良好な範囲における上側閾値を表し、下側判定ライン３１１は生体情報の健康状態が良好な範囲における生体情報の下側閾値を表す。
【００７４】
生体情報が、上側閾値及び下側閾値を超えると、図８（ａ）に示すように、トレンドグラフは上側判定ライン３１０及び下側判定ライン３１１を超えて表示される。そして、トレンドグラフ中のその超える部分Ｄ，Ｅ，Ｆ，Ｇは、例えば、図８（ａ）に示すように、報知部２０６によって、太線表示される。以上のように、生体情報が所定の上側閾値及び下側閾値を超えると、そのことを外部に報知するために、トレンドグラフの該当部分を視認強調表示しやすいようにすることが報知部２０６による報知態様として好ましい。強調表示は、太線表示に限定されるものではなく、色表示、点滅表示などのその他の強調表示であってもよい。
【００７５】
また、生体情報が、生体情報の健康状態が良好な範囲における上側閾値及び下側閾値を超えると、図８（ａ）に示すように、報知部２０６によって発光部１６が警告灯として発光されるようにしてもよい。このようにすれば、生体情報モニタ１を遠方から見ても生体情報が上限値／下限値を超えたことを発見することができる。
【００７６】
また、図８（ｂ）に示すように、第１の上側判定ライン３１０及び第１の下側判定ライン３１１に加えて、それより生体情報数値軸３０５方向上下側の第２の上側判定ライン３１２及び第２の下側判定ライン３１３がトレンドグラフ領域３０１内に配置される場合、報知部２０６によって、上側判定ライン３１２及び下側判定ライン３１３を超えるトレンドグラフ部分の時間帯に色付け表示等の強調表示がされることが好ましい。さらに、図８（ｂ）に示すように、報知部２０６によって発光部１７が発光部１６とは異なる色で警告灯として発光されるようにしてもよい。
【００７７】
このようにすれば、生体情報モニタ１を遠方から見ても生体情報が、第１の上側判定ライン３１０及び第１の下側判定ライン３１１を超えたことのみならず、第２の上側判定ライン３１２及び第２の下側判定ライン３１３を超えたことを容易に発見することができる。なお、発光部１６，１７の発光態様は上記説明に限定されるものではなく、報知部２０６によって発光部１６，１７の両方又はいずれか一方が同じ色、又は異なる色で点灯、点滅される等のものも含む。
【００７８】
＜７．ライン数入力＞
次に、図９および図１０を参照して、上側判定ライン及び下側判定ラインの数を設定する際の操作態様について説明する。例えば、図４に示すメニューボタンＣがタッチ操作（例えば、ワンタップ、ダブルタップ等のタップ操作）により選択されると、ライン数設定部２０７の一具体例である上側判定ライン及び下側判定ラインの数の設定に関する入力画面が呼び出されて、表示画面上に出現する。具体的な入力画面として、例えば、図９（ａ）に示すように、上側判定ライン及び下側判定ラインに関するライン数の入力を受け付けるライン数入力ウインドウ３４０が挙げられる。ライン数入力ウインドウ３４０は、例えば、ポップアップウインドウとして出現させることが一例として想定されるが、これに限定されるものではなく、専用の別のページ画面として出現させる態様であってもよい。
【００７９】
ライン数入力ウインドウ３４０は、例えば、図９（ａ）に示すように、上側判定ラインの数を入力可能なエリアである上側判定ライン数入力エリア３４１、及び、下側判定ラインの数を入力可能なエリアである下側判定ライン数入力エリア３４２を有する。上側判定ライン数入力エリア３４１、下側判定ライン数入力エリア３４２内には、例えば、それぞれ「０〜５」までの数字が列状に順に並ぶ数字列が備えられる。そして、数字列に対するスクロール操作により図９（ａ）に示す矢印方向へ数字列が移動して、上側判定ライン数入力エリア３４１、下側判定ライン数入力エリア３４２に表示される数字が変わる。以上のようにして、上側判定ライン数入力エリア３４１、下側判定ライン数入力エリア３４２に表示される数字を所望の数字に変更することにより、上側判定ラインの数、および、下側判定ラインの数が入力される。
【００８０】
上側判定ライン数入力エリア３４１、下側判定ライン数入力エリア３４２に所望の数字が表示された後に、「ＯＫ」ボタン３４３がタッチ操作により選択されると、図９（ｂ）に示すライン閾値入力ウインドウ３４５に移行される。一方、「キャンセル」ボタン３４４がタッチ操作により選択されると、上側判定ラインの数、下側判定ラインの数は変更されず、メニューボタンＣが選択される前の状態に戻る。
【００８１】
ライン閾値入力ウインドウ３４５は、閾値設定部２１２の一具体例である。ライン閾値入力ウインドウ３４５には、ライン数入力ウインドウ３４０で設定された上側判定ライン、および、下側判定ラインのそれぞれに対応する各生体情報の閾値が入力される。例えば、上記においてライン数入力ウインドウ３４０で上限判定ラインは２つ、下限判定ラインは２つに設定されたが、２つの上限判定ラインは、それぞれ「正常上側閾値」（第１上側判定ライン）、「危険上側閾値」（第２上側判定ライン）に対応させたものが入力され、２つの下限判定ラインは、それぞれ「正常下側閾値」（第１下側判定ライン）、「危険下側閾値」（第２下側判定ライン）に対応させたものが入力されることが一例として想定される。
【００８２】
なお、「正常上側閾値」および「正常下側閾値」は、それぞれ正常な状態の生体情報の上限閾値、下限閾値に該当する。また、「危険上側閾値」および「危険下側閾値」は、それぞれ正常な状態を超えて危険な状態になった生体情報の上限閾値、下限閾値に該当する。
【００８３】
以上のような場合、ライン閾値入力ウインドウ３４５では、上限判定ラインについて２回、下限判定ラインについて２回の生体情報の入力の機会がある。例えば、図９（ａ）に示すように、最初に、ライン閾値入力ウインドウ３４５中に、「第１上側判定ライン閾値」と表題が付されるライン閾値入力エリア３４８ａが表示される。「第１上側判定ライン閾値」は、１つ目の上限判定ラインを表す用語であり、ライン閾値入力エリア３４８ａには、１つ目の上限判定ラインに対応する生体情報の上限閾値が入力される。ライン閾値入力エリア３４８ａには、例えば、「正常上側閾値」が入力される。
【００８４】
ライン閾値入力エリア３４８ａへの入力において１つ目の上限判定ラインに対応付ける非観血血圧（ＮＩＢＰ）の「正常上側閾値」には、例えば、「１２０」が入力され、１つ目の上限判定ラインに対応付ける経皮的動脈血酸素飽和度（ＳｐＯ２）の「正常上側閾値」には、例えば、「１００」が入力され、１つ目の上限判定ラインに対応付ける心拍数（ＨＲ）の「正常上側閾値」には、例えば、「１００」が入力され、１つ目の上限判定ラインに対応付ける体温（ＴＥＭＰ）の「正常上側閾値」には、例えば、「３７．５」が入力されることが一例として想定される。
【００８５】
なお、閾値入力エリア３４８ａへの入力は、例えば、タッチパネルディスプレイ１１の表示画面に（図示しない）ソフトウエアとしてのキーボードやテンキーを所定の方法で呼び出して行うことが一例として挙げられるが、これに限定されるものではなく、その他の方法（例えば、音声入力）で入力されてもよい。
【００８６】
上記のように入力された後に、「ＯＫ」ボタン３４６が選択されると、次に、図１０（ａ）に示すように、ライン閾値入力ウインドウ３４５中に、「第１下側判定ライン閾値」と表題が付されるライン閾値入力エリア３４８ｂが表示される。「第１下側判定ライン閾値」は、１つ目の下限判定ラインを表す用語であり、ライン閾値入力エリア３４８ｂには、１つ目の下限判定ラインに対応する生体情報の下限閾値が入力される。ライン閾値入力エリア３４８ｂには、例えば、「正常下側閾値」が入力される。
【００８７】
ライン閾値入力エリア３４８ｂへの入力において１つ目の下限判定ラインに対応付ける非観血血圧（ＮＩＢＰ）の「正常下側閾値」には、例えば、「８０」が入力され、１つ目の下側判定ラインに対応付ける経皮的動脈血酸素飽和度（ＳｐＯ２）の「正常下側閾値」には、例えば、「９０」が入力され、１つ目の下限判定ラインに対応付ける心拍数（ＨＲ）の「正常下側閾値」には、例えば、「６０」が入力され、１つ目の下限判定ラインに対応付ける体温（ＴＥＭＰ）の「正常下側閾値」には、例えば、「３５．８」が入力されることが一例として想定される。
【００８８】
上記のように入力された後に、「ＯＫ」ボタン３４６が選択されると、次に、図１０（ｂ）に示すように、ライン閾値入力ウインドウ３４５中に、「第２上側判定ライン閾値」と表題が付されるライン閾値入力エリア３４８ｃが表示される。ライン閾値入力エリア３４８ｃには、例えば、「危険上側閾値」が入力される。上記と同様に入力後に、「ＯＫ」ボタン３４６が選択されると、（図示しない）「第２下側判定ライン閾値」と表題が付されるライン閾値入力エリアが表示される。そのライン閾値入力エリアには、例えば、「危険下側閾値」が入力される。上記と同様に入力後に、「ＯＫ」ボタン３４６が選択されると、２つの上限判定ライン、２つの下限判定ラインが確定して、入力した情報に対応する目盛り幅の広狭度合いが調整された生体情報数値軸、それに対応するトレンドグラフ、第１上側判定ライン、第２上側判定ライン、第１下側判定ライン、第２下側判定ラインがトレンドグラフ領域３０１に表示される。
【００８９】
なお、上側判定ライン、下側判定ラインの数が上記とは異なる場合でも、上記と同様の態様・手順で対応する上限閾値、下限閾値の入力が行われる。そして、入力が確定されると、入力した情報に対応する目盛り幅の広狭度合いが調整された生体情報数値軸、それに対応するトレンドグラフ、第１上側判定ライン、第２上側判定ライン、第１下側判定ライン、第２下側判定ラインがトレンドグラフ領域３０１に表示される。
【００９０】
＜８．ライン位置設定＞
次に、図１１及び図１２を参照して、トレンドグラフ領域３０１内における上側判定ライン３１０及び下側判定ライン３１１の位置の変更態様について説明する。上側判定ライン３１０の位置を変更する場合、例えば、図１１（ａ）に示すように、上側判定ライン３１０が生体情報数値軸上方へ移動されるようタッチパネルディスプレイ１１における上側判定ライン３１０の表示面に対して指でドラッグ操作を行う。ライン位置変更部２０８でその操作が受け付けられて、操作に対応する位置に上側判定ライン３１０が移動される。これにより、上側判定ライン３１０及び下側判定ライン３１１の位置が変更される。
【００９１】
そして、上側判定ライン３１０の位置が生体情報数値軸３０５上方へ変更されると、それに伴って、図１１（ｂ）に示すように、各生体情報における生体情報数値軸３０５の目盛り幅が数値軸目盛り適合部２０２によって広げられる。この場合、各生体情報における生体情報数値軸３０５の目盛り幅にうち、少なくとも上側判定ライン３１０と下側判定ライン３１１との間の区域Ｈの目盛り幅が広げられればよい。一方、上側判定ライン３１０の位置が生体情報数値軸３０５下方へ変更されると、それに伴って、各生体情報における生体情報数値軸３０５の目盛り幅が数値軸目盛り適合部２０２によって縮められる。この場合、各生体情報における生体情報数値軸３０５の目盛り幅にうち、少なくとも区域Ｈの目盛り幅が縮められればよい。そして、生体情報数値軸３０５の目盛り幅が広がったり、縮んだりすると、適合トレンドグラフ生成部２０３によってトレンドグラフは、その目盛り幅に応じたものに更新される。
【００９２】
なお、各生体情報の生体情報数値軸３０５の目盛り幅の広がり態様及び縮み態様は、全ての目盛り幅が同じ割合で広がったり、縮んだりするものに限定されるものではなく、トレンドグラフに対応する生体情報の値の分布に応じて目盛り幅が大きく広がる部分、目盛り幅が小さく広がる部分、目盛り幅が大きく縮む部分、目盛り幅が小さく縮む部分があってもよい。例えば、生体情報の値が集中する範囲では、目盛り幅が大きく広がり、生体情報の値がない範囲では目盛り幅が小さく縮むことが一例として挙げられる。
【００９３】
また、上側判定ライン及び下側判定ラインの位置を変更する場合、例えば、図１２（ａ）に示すように、タッチパネルディスプレイ１１におけるトレンドグラフ領域３０１の表示面に対して指でピンチイン操作、又は、ピンチアウト操作を行って実現してもよい。それらの操作がライン位置変更部２０８で受け付けられて、上側判定ライン及び下側判定ラインが移動して配置が変更される。
【００９４】
また、それと同時に、ピンチイン操作、又は、ピンチアウト操作によって、数値軸目盛り適合部２０２、適合トレンドグラフ生成部２０３が機能して、図１２（ｂ）に示すように、トレンドグラフ領域３０１内に配置されるトレンドグラフ、生体情報数値軸３０５は拡大表示又は縮小表示される。また、同時に、時間軸３０４が拡大表示又は縮小表示されてもよい。
【００９５】
＜９．数値軸目盛り調整＞
次に、図１３を参照して、トレンドグラフ領域３０１内におけるトレンドグラフにおける生体情報数値軸３０５の調整操作について説明する。生体情報数値軸３０５における目盛り幅を変更する場合、例えば、図１３（ａ）に示すように、タッチパネルディスプレイ１１における生体情報数値軸３０５の表示面に対して指でピンチイン操作、又は、ピンチアウト操を行って実現する。それらの操作が数値軸目盛り調整部２１１で受け付けられて、生体情報数値軸３０５における目盛り幅の広狭度合いが変更される。
【００９６】
すなわち、上記ピンチイン操作、又は、ピンチアウト操作によって、数値軸目盛り調整部２１１が機能して、図１３（ｂ）に示すように、上記ピンチイン操作、又は、ピンチアウト操作のストロークに応じてトレンドグラフ領域３０１内に配置される生体情報数値軸３０５は拡大表示又は縮小表示される。また、同時に、生体情報数値軸３０５の目盛り幅の変更に対応して、上側判定ライン３１０の位置、下側判定ライン３１１の位置、トレンドグラフの態様も更新される。
【００９７】
以上の生体情報モニタ１において、タッチパネルディスプレイ１１でディスプレイを構成させ、タッチパネルディスプレイ１１に対するタッチ操作で様々な操作を行ったが、これに限定されるものではなく、その他の態様の操作であってもよい。例えば、マウス、キーボード等をはじめとする外部入力装置を用いて以上説明した操作を実現するものも本発明に含まれる。
【００９８】
以上の生体情報モニタ１等の生体情報表示装置のディスプレイに表示させる生体情報に関する表示を制御する生体情報表示制御装置も本発明に含まれる。すなわち、生体情報表示制御装置は、ディスプレイに接続され、そのディスプレイへの上記表示を制御するものである。
【００９９】
また、生体情報モニタ１等の生体情報表示装置のディスプレイに表示させる生体情報に関する表示データを生成する生体情報処理装置も本発明の範囲に含まれる。この生体情報処理装置においては、生体情報表示装置における適合トレンドグラフ表示部を表示データ生成部に置き換えればよい。なお、表示データ生成部は、上側判定ライン及び下側判定ライン、並びに、複数の適合トレンドグラフがトレンドグラフ領域内に配置されるトレンドグラフページ画面の表示データを生成するものである。
【０１００】
尚、本発明の生体情報表示装置、生体情報表示制御装置、及び、生体情報処理装置は、上記した実施の形態に限定されるものではなく、本発明の要旨を逸脱しない範囲内において種々変更を加え得ることは勿論である。
【符号の説明】
【０１０１】
１  生体情報モニタ
１１  タッチパネルディスプレイ
２００  トレンドグラフページ画面生成部
２０１  ライン生成部
２０２  数値軸目盛り適合部
２０３  適合トレンドグラフ生成部
２０４  適合トレンドグラフ保持部
２０５  適合トレンドグラフ表示部
２０６  報知部
２０７  ライン数設定部
２０８  ライン位置変更部
２０９  トレンドグラフ選択部
２１０  時間軸目盛り調整部
２１１  数値軸目盛り調整部
２１２  閾値設定部
３００  トレンドグラフページ画面
３０１  トレンドグラフ領域
３０４  時間軸
３０５  生体情報数値軸
３１０、３１２  上側判定ライン
３１１、３１３  下側判定ライン
３２０、３２１、３２２、３２３  トレンドグラフ
【図１】
2018075220.tif 000003
【図２】
2018075220.tif 000004
【図３】
2018075220.tif 000005
【図４】
2018075220.tif 000006
【図５】
2018075220.tif 000007
【図６】
2018075220.tif 000008
【図７】
2018075220.tif 000009
【図８】
2018075220.tif 000010
【図９】
2018075220.tif 000011
【図１０】
2018075220.tif 000012
【図１１】
2018075220.tif 000013
【図１２】
2018075220.tif 000014
【図１３】
2018075220.tif 000015